(57)【要約】【課題】照明エリア内の所定エリアの照明を、端末ＩＤが設定された無線端末装置以外の無線端末装置ではオンオフ制御が行えないように設定される。【解決手段】端末ＩＤを送信する無線端末装置と；前記無線端末装置から送信された端末ＩＤを記憶し、前記端末ＩＤが設定された無線端末装置によって制御される照明器具は、前記端末ＩＤが設定された無線端末装置以外の無線端末装置ではオンオフ制御が行えないように設定される制御装置と；を具備することを特徴とする。【選択図】図１
2018101643.tif 000002
【特許請求の範囲】
【請求項１】
照明エリアが重複しない複数の分割エリアに分割され、分割エリア毎に照明器具の制御を行う照明制御システムにおいて、
分割エリア毎の照明器具のグループである複数の照明器具群と；
複数の照明器具群のうちの所定の照明器具群を制御できる無線端末装置と；
無線端末装置から前記分割エリア情報の取得要求を受け取った場合に、前記分割エリアを返信する制御装置と；を有し、
前記無線端末装置は、前記制御装置より受け取った前記分割エリア情報に基づいてレイアウト図を作成して表示し、前記レイアウト図を用いて前記分割エリアにおける照明器具群を制御可能であることを特徴とする照明制御システム。
【発明の詳細な説明】
【技術分野】
【０００１】
本発明の実施形態は、照明制御システムに関する。
【背景技術】
【０００２】
従来の照明制御システムでは、一般的に、オフィス等に設置された複数の照明器具を所定のエリア単位に分割してそれぞれをグループ化し、グループ単位に照明器具のＯＮ／ＯＦＦを制御している。この際、グループ単位にスイッチが設けられ、オフィス等の利用者は、壁面等に設置されたスイッチを操作することによって、グループ単位で照明をＯＮ／ＯＦＦする。
【０００３】
このように、従来の照明制御システムにおいては、スイッチを操作可能な全ての人が、照明をＯＮ／ＯＦＦすることが可能である。
【０００４】
一方で、利用者が限定されたエリアや、長時間に渡って継続的な作業を行うエリア等、他の人に照明をＯＮ／ＯＦＦされたくない、すなわち、そのエリアの照明を独占的に制御できるようにしたいというニーズがある。
【０００５】
しかしながら、従来の照明制御システムにおいては、使用中の照明が他の人にＯＦＦにされてしまう可能性がある。
【先行技術文献】
【特許文献】
【０００６】
【特許文献１】特開平２−９４３８９号公報
【発明の概要】
【発明が解決しようとする課題】
【０００７】
本発明が解決しようとする課題は、照明エリア内の所定エリアの照明を無線端末装置で制御可能な照明制御システムを提供することである。
【課題を解決するための手段】
【０００８】
実施形態にかかる照明制御システムは、照明エリアが重複しない複数の分割エリアに分割され、分割エリア毎に照明器具の制御を行う照明制御システムにおいて、分割エリア毎の照明器具のグループである複数の照明器具群と；複数の照明器具群のうちの所定の照明器具群を制御できる無線端末装置と；無線端末装置から前記分割エリア情報の取得要求を受け取った場合に、前記分割エリアを返信する制御装置と；を有し、前記無線端末装置は、前記制御装置より受け取った前記分割エリア情報に基づいてレイアウト図を作成して表示し、前記レイアウト図を用いて前記分割エリアにおける照明器具群を制御可能であることを特徴とすることを特徴とする。
【発明の効果】
【０００９】
本発明によれば、照明エリア内の所定エリアの照明を無線端末装置によって制御が行える照明制御システムを提供することができる。
【図面の簡単な説明】
【００１０】
【図１】図１は、実施形態にかかる照明制御システムの構成例を示す図である。
【図２】図２は、照明エリアの一例を示す図である。
【図３】図３は、実施形態にかかる照明制御システムにおける照明制御の一例を示すシーケンス図である。
【図４】図４は、無線端末の画面に表示された照明エリアのレイアウト図の一例を示す図である。
【図５】図５は、割り当てテーブルの一例を示す図である。
【図６】図６は、コントローラの動作の一例を示すフローチャートである。
【発明を実施するための形態】
【００１１】
以下で説明する実施形態において、照明制御システムは、照明エリアが重複しない複数のエリア＃１，＃２，＃３，＃４…に分割され、エリア毎に照明器具３の制御を行う。また、照明制御システムは、エリア毎の照明器具３のグループである複数の照明器具群を有する。たとえば、照明制御システム内の無線端末５−１は、複数の照明器具群のうちのエリア＃１内の照明器具３を制御できるよう希望する旨のエリア指示情報を送信し、その応答としてエリア＃１内の照明器具３への制御を許可された場合に、エリア＃１内の照明器具３の制御を行う。また、照明制御システム内のコントローラ１は、エリア指示情報により示されたエリア＃１が割り当て済みかどうかを判断し、割り当てられていない場合に、エリア＃１内の照明器具３へのスイッチ制御を無効化し、無線端末５−１からエリア＃１内の照明器具３への制御を許可する。
【００１２】
また、実施形態において、コントローラ１は、無線端末５−１から照明エリアのエリア情報の取得要求を受け取った場合に、照明エリアのエリア情報を返信する。そして、無線端末５−１は、受け取ったエリア情報に基づいて照明エリアのレイアウト図を作成して表示し、たとえば、レイアウト図を用いて指示されたエリア＃１に基づいてエリア指示情報を生成する。
【００１３】
また、実施形態において、無線端末５−１，５−２，５−３…からエリア＃１内の照明器具３を制御できるよう希望する旨のエリア指示情報を受け取った場合、コントローラ１は、最も早く受け取ったエリア指示情報を送信した無線端末に、エリア＃１内の照明器具３への制御を許可する。
【００１４】
また、実施形態において、コントローラ１は、無線端末毎の優先順位を予め記憶しておき、たとえば、無線端末５−１，５−２からエリア＃１内の照明器具３を制御できるよう希望する旨のエリア指示情報を受け取った場合、または、既に端末装置５−２にエリア＃１内の照明器具３への制御を許可している状態で無線端末５−１からさらにエリア＃１内の照明器具３を制御できるよう希望する旨のエリア指示情報を受け取った場合には、最も優先順位の高い無線端末に、エリア＃１内の照明器具３への制御を許可する。
【００１５】
また、実施形態において、たとえば、エリア＃１内の照明器具３を制御できる状態を解除する場合、無線端末５−１は、解除通知をコントローラ１に送信する。そして、解除通知を受け取ったコントローラ１は、無線端末５−１からエリア＃１内の照明器具３への制御を不可とする処理を行い、その後、エリア＃１内の照明器具３へのスイッチ制御を有効化する。
【００１６】
以下、図面を参照して、実施形態にかかる照明制御システムを説明する。実施形態において同一の機能を有する構成には同一の符号を付し、重複する説明は省略される。
【００１７】
［実施形態］  ［照明制御システムの構成例］  図１は、実施形態にかかる照明制御システムの構成例を示す図である。図１において、この照明制御システムは、コントローラ１と無線通信装置２と複数の照明器具３が、それぞれ伝送線４により接続されている。また、コントローラ１と無線端末５−１，５−２，５−３…（以下、これらの無線端末を単に無線端末５と呼ぶ場合もある。）が、無線通信装置２を介して通信可能である。
【００１８】
図１において、コントローラ１は、照明制御システム内の照明器具３を制御する機能を有する。また、無線通信装置２は、コントローラ１と無線端末５との間の通信を中継する。なお、無線通信装置２は、通信専用の装置である必要はなく、たとえば、照明器具３に含まれる構成であってもよい。また、無線通信装置２は、照明制御システム内に１つである必要はなく、照明エリアの広さに応じて複数配置されることとしてもよい。
【００１９】
また、本実施形態の無線端末５は、スマートフォンやタブレット型の多機能携帯端末、ＰＤＡ（Personal  Digital  Assistant）端末、パソコン等であり、近距離無線通信技術（Bluetooth（登録商標），UWB（Uitra  Wide  Band），ZigBee（登録商標），NFC（Near  Field  Communication）等）を用いて無線通信装置２と接続する。
【００２０】
また、図１において、本実施形態の照明制御システムでは、オフィス等の照明エリアが重複することなくエリア＃１，エリア＃２，エリア＃３，エリア＃４，…に分割され、各エリアに含まれる照明器具３をエリア毎にグループ化する。そして、オフィス等に在籍する照明の利用者が、エリア毎（グループ単位）に設けられたスイッチ部６を操作することにより、エリア毎に照明器具３の制御が可能である。図２は、照明エリアの一例を示す図であり、オフィス等の照明エリア１１を表している。ここでは、一例として、エリア＃１，エリア＃２，エリア＃３，エリア＃４…単位に、それぞれスイッチ６ａ，６ｂ，６ｃ，６ｄ…が設けられ、スイッチ６ａ，６ｂ，６ｃ，６ｄ…を操作することによって、エリア毎に照明器具３の制御が可能である。
【００２１】
［照明制御システムの動作］  つづいて、本実施形態の照明制御システムの特徴的な動作について説明する。なお、本実施形態においては、無線端末５−１，５−２，５−３…に、それぞれ照明制御用のアプリケーションソフトがインストールされていることを前提とする。また、図２に示す照明エリア１１のエリア情報、すなわち、照明エリア１１内の各エリアの範囲を示すエリア位置情報、および各エリア内に設置された照明器具３の位置を示す照明位置情報は、コントローラ１により管理されているものとする。
【００２２】
図３は、本実施形態にかかる照明制御システムにおける照明制御の一例を示すシーケンス図である。本実施形態においては、一例として、上記アプリケーションソフトがインストールされた無線端末５−１を利用して、無線端末５−１からエリア＃１内の照明器具３のＯＮ／ＯＦＦ制御を独占的に行えるように、コントローラ１の設定を行う場合について説明する。なお、以下の処理は、上記アプリケーションソフトがインストールされたすべての無線端末において実行可能である。
【００２３】
まず、無線端末５−１は、自装置の利用者による操作に従い、照明エリア１１のエリア情報の取得要求（自装置の端末ＩＤ（電話番号，機器ＩＤ，ＭＡＣアドレス，ＩＰアドレス等の無線端末固有のＩＤ）を含む）をコントローラ１宛に送信する（Ｓ１）。
【００２４】
無線通信装置２を介してエリア情報の取得要求を受け取ったコントローラ１は、受け取った取得要求から端末ＩＤを抽出し、記憶する（Ｓ２）。そして、無線端末５−１宛に照明エリア１１のエリア情報を送信する（Ｓ３）。
【００２５】
無線通信装置２を介してエリア情報を受け取った無線端末５−１は、そのエリア情報に含まれるエリア位置情報および照明位置情報に基づいて照明エリアのレイアウト図を作成し、たとえば、図４に示す表示画面を表示する（Ｓ４）。図４は、無線端末５−１の画面に表示された照明エリアのレイアウト図の一例を示す図である。ここでは、点線で囲まれた部分が、エリア＃１，エリア＃２…を表し、黒丸が照明器具３の位置を表す。また、エリア＃２については、既に他の無線端末に割り当てられている状態が示されている。
【００２６】
そして、無線端末５−１の利用者がエリア＃１の点線で囲われた部分に触れることにより、無線端末５−１は、エリア＃１内の照明器具３を独占的に制御できるよう希望する旨のエリア指示情報（端末ＩＤを含む）を生成し、コントローラ１宛に送信する（Ｓ５）。なお、本実施形態では、既に他の無線端末に割り当てられているエリア＃２（点線で囲われた部分）に触れても、何も処理が行われないものとする。
【００２７】
無線通信装置２を介してエリア指示情報を受け取ったコントローラ１は、エリア指示情報により示されたエリア＃１が他の利用者に割り当てられているかどうかを、図５に示す割り当てテーブルを確認することにより判断する（Ｓ６）。図５は、割り当てテーブルの一例を示す図であり、照明エリア１１内のエリアＮｏと、割り当てられている無線端末が関連付けられた状態で記憶されている。ここでは、一例として、エリア＃２が端末ＩＤ：「ｂｂｂｂ」を持つ無線端末５−２に割り当てられ、エリア＃３が端末ＩＤ：「ｃｃｃｃ」を持つ無線端末５−３に割り当てられている状態が示されている。また、エリア＃１およびエリア＃４については、どの無線端末にも割り当てられていない状態が示されている。
【００２８】
そして、コントローラ１は、エリア＃１がどの無線端末にも割り当てられていないことを確認した後、図５に示す割り当てテーブルのエリア＃１の「割り当て端末ＩＤ」欄に、無線端末５−１の端末ＩＤ：「ａａａａ」を書き込む（Ｓ７）。さらに、エリア＃１の照明器具３へのスイッチ６ａによるＯＮ／ＯＦＦ制御を無効化する（Ｓ８）。すなわち、スイッチ６ａを操作しても照明器具３をＯＮ／ＯＦＦできない状態にする。
【００２９】
その後、コントローラ１は、無線端末５−１からエリア＃１内の照明器具３のＯＮ／ＯＦＦ制御を独占的に行えるようにコントローラ１の設定を行ったことを示す情報として、照明制御許可情報を無線端末５−１宛に送信する（Ｓ９）。なお、コントローラ１は、端末ＩＤの異なる複数のエリア指示情報を受け取った場合、最も早く受け取ったエリア指示情報を送信した無線端末にエリア＃１を割り当てることとする。この場合、コントローラ１は、エリア＃１を割り当てることができなかった無線端末宛に、照明制御不可情報を送信する。
【００３０】
無線通信装置２を介して照明制御許可情報を受け取った無線端末５−１は、以降、自装置の利用者の操作に従いエリア＃１内の照明器具３のＯＮ／ＯＦＦ制御を独占的に行うことが可能となる（Ｓ１０）。Ｓ１０において、エリア＃１の照明器具３のＯＮ／ＯＦＦ制御を行う場合、無線端末５−１は、たとえば、ＯＮまたはＯＦＦを示す情報である制御情報（端末ＩＤを含む）をコントローラ１宛に送信する。一方、無線通信装置２を介して制御情報を受け取ったコントローラ１では、図５に示す割り当てテーブルを参照して制御情報に含まれる端末ＩＤがエリア＃１と関連付けて記憶されているかどうかを確認する。そして、コントローラ１は、制御情報に含まれる端末ＩＤとエリア＃１が関連付けて記憶されている場合に、制御情報の指示に従い、エリア＃１の照明器具３のＯＮ／ＯＦＦ制御を行う。
【００３１】
その後、エリア＃１内の照明器具３の独占制御を解除する場合、無線端末５−１は、利用者の操作に従い、解除通知（端末ＩＤを含む）をコントローラ１宛に送信する（Ｓ１１）。
【００３２】
無線通信装置２を介して解除通知を受け取ったコントローラ１は、図５に示す割り当てテーブルのエリア＃１の「割り当て端末ＩＤ」欄に記載された無線端末５−１の端末ＩＤ：「ａａａａ」を削除する（Ｓ１２）。そして、エリア＃１の照明器具３へのスイッチ６ａによるＯＮ／ＯＦＦ制御を有効にする（Ｓ１３）。すなわち、スイッチ６ａの操作により照明器具３をＯＮ／ＯＦＦできる状態にする。その後、コントローラ１は、解除の完了を示す解除完了通知を、無線端末５−１宛に送信する（Ｓ１４）。以降、エリア＃１内の照明器具３のＯＮ／ＯＦＦ制御は、スイッチ６ａの操作によって行われる。
【００３３】
［コントローラ１の動作］  つづいて、本実施形態におけるコントローラ１の動作を具体的に説明する。図６は、コントローラ１の動作の一例を示すフローチャートである。本実施形態では、エリア＃１に対する制御について説明する。なお、他のエリアに対する制御も同様である。
【００３４】
初期状態において、コントローラ１は、エリア＃１に対するスイッチ６ａの操作を待ち（Ｓ２１，Ｎｏ、Ｓ２２，Ｎｏ）、スイッチ６ａの操作があった場合（Ｓ２２，Ｙｅｓ）、エリア＃１の照明器具３のＯＮ／ＯＦＦ制御を行い（Ｓ２３）、再度、エリア＃１に対するスイッチ６ａの操作を待つ（Ｓ２１，Ｎｏ、Ｓ２２，Ｎｏ）。そして、コントローラ１は、所定の無線端末からエリア指示情報を受信することによって、スイッチ６ａによるエリア＃１内の照明器具３への制御を無効化（Ｓ２１，Ｙｅｓ）するまで、ステップＳ２１〜ステップＳ２３の処理を繰り返し実行する。ここでは、一例として、無線端末５−１がエリア指示情報を送信したものとして以降の動作を説明する。
【００３５】
スイッチ６ａによるエリア＃１内の照明器具３への制御を無効化した場合（Ｓ２１，Ｙｅｓ）、コントローラ１は、無線端末５−１からのＯＮ／ＯＦＦ制御を待つ（Ｓ２４，Ｎｏ、Ｓ２５，Ｎｏ）。そして、無線端末５−１からのＯＮ／ＯＦＦ制御があった場合（Ｓ２４，Ｙｅｓ）、コントローラ１は、エリア＃１の照明器具３のＯＮ／ＯＦＦ制御を行い（Ｓ２６）、再度、無線端末５−１からのＯＮ／ＯＦＦ制御を待つ（Ｓ２４，Ｎｏ、Ｓ２５，Ｎｏ）。その後、コントローラ１は、無線端末５−１からＯＮ／ＯＦＦ制御を待つ処理（Ｓ２４，Ｎｏ、Ｓ２５，Ｎｏ）、およびエリア＃１の照明器具３のＯＮ／ＯＦＦ制御（Ｓ２６）を、無線端末５−１から解除通知を受け取るまで繰り返し実行する。そして、無線端末５−１から解除通知を受け取った場合（Ｓ２５，Ｙｅｓ）、コントローラ１は、スイッチ６ａによるエリア＃１内の照明器具３への制御を有効化し、エリア＃１に対するスイッチ６ａの操作を待つ処理に移行する（Ｓ２１，Ｎｏ、Ｓ２２，Ｎｏ）。
【００３６】
［実施形態の効果］  以上説明したように、本実施形態の照明制御システムにおいては、たとえば、無線端末５−１が、エリア＃１内の照明器具３を独占的に制御できるよう希望する旨のエリア指示情報を送信し、その応答としてエリア＃１内の照明器具３への制御を許可された場合に、エリア＃１内の照明器具３の制御を行う。また、コントローラ１は、エリア指示情報により示されたエリア＃１が割り当て済みかどうかを判断し、割り当てられていない場合に、エリア＃１内の照明器具３へのスイッチ制御を無効化し、無線端末５−１からエリア＃１内の照明器具３への制御を許可することとした。これにより、複数の利用者が共有する照明エリア内の所定のエリアの照明を、特定の個人が独占的にＯＮ／ＯＦＦ制御することが可能となる。
【００３７】
なお、本実施形態においては、コントローラ１が、端末ＩＤの異なる複数のエリア指示情報を受け取った場合に、最も早く受け取ったエリア指示情報を送信した無線端末に対し所望のエリアを割り当てることとしたが、これに限るものではない。たとえば、コントローラ１が、上記アプリケーションソフトをインストールした無線端末の端末ＩＤとその端末ＩＤを持つ無線端末の優先順位とを、予め関連付けて記憶しておき、端末ＩＤの異なる複数のエリア指示情報を受け取った場合に、最も優先順位の高い無線端末に所望のエリアを割り当てることとしてもよい。
【００３８】
また、本実施形態では、ステップＳ５の処理において、既に他の無線端末に割り当てられているエリア＃２（点線で囲われた部分）に触れても何も処理が行われないこととしたが、これに限るものではない。たとえば、上記のように優先順位が設定されているような場合には、無線端末５−１の利用者がエリア＃２の点線で囲われた部分に触れることにより、無線端末５−１が、エリア＃２内の照明器具３を独占的に制御できるよう希望する旨のエリア指示情報（端末ＩＤを含む）を生成し、コントローラ１宛に送信することとしてもよい。これにより、コントローラ１は、優先順位による判断を行い、優先順位の高い方の無線端末（無線端末５−１または無線端末５−２）にエリア＃２を割り当てることができる。すなわち、無線端末５−２の方が優先順位が高い場合は、図５の割り当てテーブルを更新せず維持し、無線端末５−１の方が優先順位が高い場合には、図５の割り当てテーブルの割り当て端末ＩＤ欄を現在の「ｂｂｂｂ」から無線端末５−１の端末ＩＤ：「ａａａａ」に更新する。
【００３９】
以上、本発明の実施形態を説明したが、この実施形態は、例として提示したものであり、発明の範囲を限定することは意図していない。本実施形態は、その他の様々な形態で実施されることが可能であり、発明の要旨を逸脱しない範囲で、種々の省略、置き換え、変更を行うことができる。本実施形態やその変形は、発明の範囲や要旨に含まれると同様に、特許請求の範囲に記載された発明とその均等の範囲に含まれるものである。
【符号の説明】
【００４０】
１  コントローラ
２  無線通信装置
３  照明器具
４  伝送線
５−１，５−２，５−３  無線端末
６  スイッチ部
６ａ，６ｂ，６ｃ，６ｄ  スイかっチ
１１  照明エリア
【図１】
2018101643.tif 000003
【図２】
2018101643.tif 000004
【図３】
2018101643.tif 000005
【図４】
2018101643.tif 000006
【図５】
2018101643.tif 000007
【図６】
2018101643.tif 000008